(57)【要約】      （修正有）【課題】組み立て、取り外し、折り畳みが便利な組立式洋服だんす構造の提供。【解決手段】主に複数の縦棒１、横棒２、直棒３、及び挿入孔を備えた挿入台４を設け、挿入台の挿入孔に凹み溝を設けることにより、該棒部材を挿入台にそれぞれ枢接する。そのうち、該横棒及び直棒は２段又は以上の棒部材より構成し、棒部材同士は伸縮バンドより連結して、挿入台により横棒及び直棒を固定したんすフレームを構成し、ハンガー掛け３０とカバー体４０を掛けた上、組み合わせて洋服だんすを形成する。使用しないときは、横棒と直棒は挿入台の挿入孔に沿って回して、棒部材同士の可とう性により、たんすフレームを扁平状に折り畳んで置き、搬送、収納が便利になる。【選択図】図６
0003131181.tif 000002
【実用新案登録請求の範囲】
【請求項１】
挿入台、９０度に配列する二つの挿入孔を有し、該二つの挿入孔に凹み溝をそれぞれ設ける、挿入孔の上方に挿入孔を貫通した半円形細長い開口部を設け、挿入孔の後ろ端面の垂直方向にもう一つの挿入孔を設ける、
縦棒、その両端は挿入台の挿入孔にそれぞれ挿入する、
横棒、その両端は挿入台の凹み溝を備えた挿入孔に挿入し、２段又は以上の棒部材より構成し、棒部材同士は伸縮バンドにより連結する、
直棒、その両端は挿入台の凹み溝を備えた挿入孔に挿入し、２段又は以上の棒部材より構成し、棒部材同士は伸縮バンドにより連結する、
前記の構成要素を組み合わせることにより、たんすフレームを構成した上、たんすフレームに掛け棒、掛け台及びカバー体を取り付けて、洋服だんすを構成する、使用しないときは、扁平状に折り畳でおき、搬送、収納に便利することを特徴とする組立式洋服だんす構造。
【請求項２】
該直棒の両端部にスリーブをそれぞれ挿入し、スリーブに切欠きを設け、切欠きにより挿入台に固定することにより、直棒は切欠きにて滑り移動し、屈折に便利することを特徴とする請求項１記載の組立式洋服だんす構造。
【請求項３】
該横棒と直棒より構成する棒部材の端部にスリーブをそれぞれ挿入し、スリーブに歯形部を備えた切欠きを設け、伸縮バンドをスリーブに穿設した後、該歯形部により伸縮バンド挟んで固定することを特徴とする請求項１記載の組立式洋服だんす構造。
【請求項４】
該横棒と直棒はそれぞれ固定スリーブを穿設し、固定スリーブを伸縮バンドに装入又は引き離すことにより、組立完了後の固定又は取り外した後の屈折状を構成することを特徴とする請求項１記載の組立式洋服だんす構造。
【請求項５】
該横棒と直棒一端の表面に突起点を設け、固定スリーブを伸縮バンドに装入した後、突起点により係止めて固定することを特徴とする請求項１記載の組立式洋服だんす構造。
【考案の詳細な説明】
【技術分野】
【０００１】
本考案は一種の組立式洋服だんす構造、特に一種の組み立て、取り外し、折り畳みが便利の洋服だんす構造に関わるものである。
【背景技術】
【０００２】
通常、洋服だんすは固定式のほか、取り外し式も多く販売されている。利用者が購入後自分で組み立てできる。しかしながら、従来の組立式洋服だんすの部品点数が細かすぎるため、利用者の時間を浪費するほか、使用しないときは、素早く取り外すことができない。作業に手間が掛かり、取り外した後の洋服だんすの搬送、収納に問題を残し、部品が細かすぎるため、再度組み立てるときに部品紛失などが起きるため、理想とは言えない。
【考案の開示】
【考案が解決しようとする課題】
【０００３】
洋服だんすの組み立て、取り外しをより便利、快速に行い、取り外した後の搬送、収納の便利を図る、一種の組立式洋服だんす構造を提供することを本考案の主な目的とする。
【０００４】
前記の組合せ式洋服だんすは複数の縦棒、横棒及び直棒を有し、挿入孔を備えた挿入台を設ける。そのうち、該挿入台に９０度角に配列する挿入孔を設け、挿入孔に凹み溝を設けて、棒部材を該挿入台にそれぞれ枢接する。該横棒及び直棒は２段又は以上の棒部材より構成する。棒部材同士は伸縮バンドにより連結し、該棒部材は挿入台によって固定した後、たんすフレームを形成し、ハンガー掛けとカバー体を掛けて、洋服だんすに組み合わせる。使用しないときは、横棒と直棒を挿入台の挿入孔に沿って回し、伸縮バンドの可とう性により、たんすフレームを折り畳んで扁平状にして、搬送、収納に便利する。
【０００５】
前記の組合せ式洋服だんすの直棒の両端はスリーブに固定し、スリーブに切欠きを設け、直棒を挿入台の挿入孔に締めつけ、切欠きにより直棒は挿入孔に沿って伸縮し、固定又は屈折状を形成する。
【０００６】
前記の組合せ式洋服だんすの横棒と直棒の棒部材に備える接続端にスリーブを挿入し、該スリーブに歯形状の切欠きを設け、伸縮バンドの両端をスリーブにそれぞれ挿入した上、スリーブの歯形部によりを挟んでおく。
【０００７】
前記の組合せ式洋服だんすの横棒と直棒はそれぞれに固定スリーブを挿入し、横棒と直棒をたんすフレームに組み立てるとき、該固定スリーブを伸縮バンドと二つの棒部材の端部に挿入して、横棒と直棒は伸縮バンドの伸縮により折れることを防止する。
【課題を解決するための手段】
【０００８】
請求項１の考案は、挿入台、９０度に配列する二つの挿入孔を有し、該二つの挿入孔に凹み溝をそれぞれ設ける、挿入孔の上方に挿入孔を貫通した半円形細長い開口部を設け、挿入孔の後ろ端面の垂直方向にもう一つの挿入孔を設ける、
縦棒、その両端は挿入台の挿入孔にそれぞれ挿入する、
横棒、その両端は挿入台の凹み溝を備えた挿入孔に挿入し、２段又は以上の棒部材より構成し、棒部材同士は伸縮バンドにより連結する、
直棒、その両端は挿入台の凹み溝を備えた挿入孔に挿入し、２段又は以上の棒部材より構成し、棒部材同士は伸縮バンドにより連結する、
前記の構成要素を組み合わせることにより、たんすフレームを構成した上、たんすフレームに掛け棒、掛け台及びカバー体を取り付けて、洋服だんすを構成する、使用しないときは、扁平状に折り畳でおき、搬送、収納に便利することを特徴とする組立式洋服だんす構造としている。
請求項２の考案は、該直棒の両端部にスリーブをそれぞれ挿入し、スリーブに切欠きを設け、切欠きにより挿入台に固定することにより、直棒は切欠きにて滑り移動し、屈折に便利することを特徴とする請求項１記載の組立式洋服だんす構造としている。
請求項３の考案は、該横棒と直棒より構成する棒部材の端部にスリーブをそれぞれ挿入し、スリーブに歯形部を備えた切欠きを設け、伸縮バンドをスリーブに穿設した後、該歯形部により伸縮バンド挟んで固定することを特徴とする請求項１記載の組立式洋服だんす構造としている。
請求項４の考案は、該横棒と直棒はそれぞれ固定スリーブを穿設し、固定スリーブを伸縮バンドに装入又は引き離すことにより、組立完了後の固定又は取り外した後の屈折状を構成することを特徴とする請求項１記載の組立式洋服だんす構造としている。
請求項５の考案は、該横棒と直棒一端の表面に突起点を設け、固定スリーブを伸縮バンドに装入した後、突起点により係止めて固定することを特徴とする請求項１記載の組立式洋服だんす構造としている。
【考案の効果】
【０００９】
本考案は組立式洋服だんす構造、本考案の折り畳み式棒部材より構成する洋服だんすは組み立て、取り外し、折り畳み操作がより便利、快速に行える。実用性を有する設計であり、新規性豊富の考案である。
【考案を実施するための最良の形態】
【００１０】
図１、２、３、４を併せて参照する。本考案は主に複数の縦棒１、横棒２、直棒３、及び該棒部材を挿入するための挿入台４より構成する。そのうち、該挿入台４に９０度角に配列した二つの挿入孔４１、４２を設け、該挿入孔４１、４２に凹み溝４１１、４２１を設ける。挿入孔４１、４２の上方に挿入孔４１、４２を貫通した半円形細長い開口部４１２、４２２を設ける。二つの挿入孔４１、４２後部端面の垂直方向にもう一つの挿入孔４３を設け、縦棒１を挿入孔４３に挿入し固定する。該横棒２は挿入孔４１に挿入し締めつける。該直棒３の端部にスリーブ５を挿入し、スリーブ５に切欠き５１を設け、スリーブ５を挿入台４の挿入孔４２に挿入した上、切欠き５１を介して挿入台４に固定する。
【００１１】
該横棒２と直棒３は２段又は以上の棒部材より構成する。棒部材一端の表面に係止め突起点２０１（３０１）を設けた上、スリーブ６を挿入する。そのうち、該スリーブ６は歯形部６１１を備えた切欠き６１を設け、伸縮バンド７を二つのスリーブ６に通した後、スリーブ６横棒２と直棒３の端部に挿入し固定する。挿入後、スリーブ６の歯形部６１１により、伸縮バンド７を挟んでおく、横棒２と直棒３をそれぞれ固定スリーブ８に通す。
【００１２】
前記の構成要素を組み合わせることにより、該挿入台４と縦棒１、横棒２、直棒３をたんすフレームに組み合わせる。組み合わせるとき、横棒２と直棒３を挿入台４の挿入孔４１、４２に沿って真っ直ぐ方向に変更した上、横棒２と直棒３に穿設した固定スリーブ８を伸縮バンド７と棒部材の端部に滑り込んで固定させ、突起点２０１（３０１）により係止めて固定し、棒部材の屈折を防止する。掛け棒、掛け台などのアクセサリを棒部材に掛けた後、その外部にカバー体を掛けて、洋服だんすを構成する。使用しないときは、横棒２と直棒３は挿入台４の挿入孔４１、４２を折り畳み、伸縮バンド７の可とう性により、たんすフレームを折り畳んで重ね置き、搬送、収納に便利する。
【００１３】
図５を参照する。本考案の横棒２と直棒３は挿入台４の挿入孔４１、４２に挿入し枢接することにより、挿入孔４１、４２に沿って回すことができる。そのうち、直棒３の端部にスリーブ５を設け、スリーブ５に切欠き５１を設ける。これにより、引き出した後挿入孔４２に沿って移動し、固定又は引き出して回す。本考案は組み立てた後、該横棒２と直棒３を９０度角に回して、たんすフレームを組み合わせる又は取り外し折り畳み操作できる。
【００１４】
図６に示す通り、本考案はたんすフレームを組み合わせた後、上・下の縦棒１の間に固定棒１０を設け固定しておき、上部端面の横棒２は掛け台２０によって掛けた後、二つのハンガー掛け台２０の間に掛け棒３０をまたがって取り付けて、ハンガー又はその他物品を掛ける。たんすフレームの外部にカバー体４０を掛けて、衣類又はその他物品を掛けられる洋服だんす１００を構成する。
【００１５】
図７に示す通り、本考案は使用しないとき、横棒２と直棒３の固定スリーブ８を伸縮バンド７から切り離して、屈折可能状態にする。直棒３端部のスリーブ６を引っ張り、横棒２と直棒３は伸縮バンド７により内側に屈折して、折り畳みに便利する。
【００１６】
図８、９、１０に示す通り、本考案を折り畳むとき、横棒２と直棒３は伸縮バンド７を支点として、内側に屈折し、屈折と同時に、たんすフレーム全体を下方に押下し、折り畳み扁平状にして重ね合わせて、搬送、収納に便利する。
【図面の簡単な説明】
【００１７】
【図１】本考案の立体図である。
【図２】本考案の挿入台と棒部材との組合せ図である。
【図３】本考案の伸縮バンドの組合図である。
【図４】本考案の伸縮バンド組合せ後の立体図である。
【図５】本考案の挿入台棒部材の動作実施態様図である。
【図６】本考案の組立完成後の立体図である。
【図７】本考案の取り外し実施態様図である。
【図８】本考案の折り畳み重ね合わせ実施例図である。
【図９】本考案の折り畳み重ね合わせ実施例図である。
【図１０】本考案の折り畳み重ね合わせ実施例図である。
【符号の説明】
【００１８】
１  縦棒
１０  固定棒
１００  洋服だんす
２  横棒
２０  ハンガー掛け台
２０１  突起点
３  直棒
３０  掛け棒
３０１  突起点
４  挿入台
４０  カバー体
４１、４２、４３  挿入孔
４１１、４２１  凹み溝
４１２、４２２  開口部
５  スリーブ
５１、６１  切欠き
６  スリーブ
６１１  歯形部
７  伸縮バンド
８  固定スリーブ
【図１】
0003131181.tif 000003
【図２】
0003131181.tif 000004
【図３】
0003131181.tif 000005
【図４】
0003131181.tif 000006
【図５】
0003131181.tif 000007
【図６】
0003131181.tif 000008
【図７】
0003131181.tif 000009
【図８】
0003131181.tif 000010
【図９】
0003131181.tif 000011
【図１０】
0003131181.tif 000012
【手続補正書】
【提出日】平成19年2月8日(2007.2.8)
【手続補正１】
【補正対象書類名】実用新案登録請求の範囲
【補正対象項目名】全文
【補正方法】変更
【補正の内容】
【実用新案登録請求の範囲】
【請求項１】
挿入台、縦棒、横棒及び直棒を含み、
該挿入台は９０度に配列する二つの挿入孔を有し、該二つの挿入孔に凹み溝をそれぞれ設け、挿入孔の上方に挿入孔を貫通した半円形細長い開口部を設け、挿入孔の後ろ端面の垂直方向にもう一つの挿入孔を設け、
該縦棒の両端は挿入台の挿入孔にそれぞれ挿入し、
該横棒の両端は挿入台の凹み溝を備えた挿入孔に挿入し、２段又は以上の棒部材より構成し、棒部材同士は伸縮バンドにより連結し、
該直棒の両端は挿入台の凹み溝を備えた挿入孔に挿入し、２段又は以上の棒部材より構成し、棒部材同士は伸縮バンドにより連結し、
前記の構成要素を組み合わせることにより、たんすフレームを構成した上、たんすフレームに掛け棒、掛け台及びカバー体を取り付けて、洋服だんすを構成し、使用しないときは、扁平状に折り畳んでおき、搬送、収納に便利であることを特徴とする組立式洋服だんす。
【請求項２】
該直棒の両端部にスリーブをそれぞれ挿入し、スリーブに切欠きを設け、切欠きにより挿入台に固定することにより、直棒は切欠きにて滑り移動し、屈折に便利であることを特徴とする請求項１記載の組立式洋服だんす。
【請求項３】
該横棒と直棒より構成する棒部材の端部にスリーブをそれぞれ挿入し、スリーブに歯形部を備えた切欠きを設け、伸縮バンドをスリーブに穿設した後、該歯形部により伸縮バンドで挟んで固定することを特徴とする請求項１記載の組立式洋服だんす。
【請求項４】
該横棒と直棒はそれぞれ固定スリーブを穿設し、固定スリーブを伸縮バンドに装入又は引き離すことにより、組立完了後の固定又は取り外した後の屈折状を構成することを特徴とする請求項１記載の組立式洋服だんす。
【請求項５】
該横棒と直棒一端の表面に突起点を設け、固定スリーブを伸縮バンドに装入した後、突起点により係止めて固定することを特徴とする請求項１記載の組立式洋服だんす。
【手続補正２】
【補正対象書類名】明細書
【補正対象項目名】０００８
【補正方法】変更
【補正の内容】
【０００８】
請求項１の考案は、挿入台、縦棒、横棒及び直棒を含み、
該挿入台は９０度に配列する二つの挿入孔を有し、該二つの挿入孔に凹み溝をそれぞれ設け、挿入孔の上方に挿入孔を貫通した半円形細長い開口部を設け、挿入孔の後ろ端面の垂直方向にもう一つの挿入孔を設け、
該縦棒の両端は挿入台の挿入孔にそれぞれ挿入し、
該横棒の両端は挿入台の凹み溝を備えた挿入孔に挿入し、２段又は以上の棒部材より構成し、棒部材同士は伸縮バンドにより連結し、
該直棒の両端は挿入台の凹み溝を備えた挿入孔に挿入し、２段又は以上の棒部材より構成し、棒部材同士は伸縮バンドにより連結し、
前記の構成要素を組み合わせることにより、たんすフレームを構成した上、たんすフレームに掛け棒、掛け台及びカバー体を取り付けて、洋服だんすを構成し、使用しないときは、扁平状に折り畳んでおき、搬送、収納に便利であることを特徴とする組立式洋服だんすとしている。
請求項２の考案は、該直棒の両端部にスリーブをそれぞれ挿入し、スリーブに切欠きを設け、切欠きにより挿入台に固定することにより、直棒は切欠きにて滑り移動し、屈折に便利であることを特徴とする請求項１記載の組立式洋服だんすとしている。
請求項３の考案は、該横棒と直棒より構成する棒部材の端部にスリーブをそれぞれ挿入し、スリーブに歯形部を備えた切欠きを設け、伸縮バンドをスリーブに穿設した後、該歯形部により伸縮バンドで挟んで固定することを特徴とする請求項１記載の組立式洋服だんすとしている。
請求項４の考案は、該横棒と直棒はそれぞれ固定スリーブを穿設し、固定スリーブを伸縮バンドに装入又は引き離すことにより、組立完了後の固定又は取り外した後の屈折状を構成することを特徴とする請求項１記載の組立式洋服だんすとしている。
請求項５の考案は、該横棒と直棒一端の表面に突起点を設け、固定スリーブを伸縮バンドに装入した後、突起点により係止めて固定することを特徴とする請求項１記載の組立式洋服だんすとしている。